(57)【要約】【課題】ＣＰＵ等の高性能化に伴い、ＣＰＵ等の発熱量も増大しており、それを冷却するＦＡＮも回転数が増加している。ＦＡＮの回転数が増加するに連れ、ＦＡＮから発生する振動も増加している。また、近年ハードディスク等記録媒体の記録密度増加も著しく、トラック間等の距離が狭いため、振動起因によるトラックずれ等のデータ書き込み不正や読み出し不正が発生しやすくなっている。本発明の課題は、ＦＡＮによって発生する振動を低減し、ハードディスク等の振動起因による書き込み不正や読み出し不正発生を無くすことである。【解決手段】装置の振動を検出する手段と、ＦＡＮの回転角を制御する手段を設け、振動が少なくなるようにＦＡＮの回転角を制御する。【選択図】図１
2009003665.tif 000002
【特許請求の範囲】
【請求項１】
複数のＦＡＮを持つ装置において、装置の振動を検出する手段と、ＦＡＮの回転角を制
御する手段を設け、振動が少なくなるようにＦＡＮの回転角を制御することで、装置内外
の振動を低減できることを特徴とするＦＡＮ制御方法。
【発明の詳細な説明】
【技術分野】
【０００１】
本発明は、複数のＦＡＮを持つ装置に係り、特に振動が少なくなるようにＦＡＮの回転
角を制御することで、装置内外の振動を低減し、ハードディスクなどの振動によるデータ
の書き込み不正や読み出し不正を防止することのできるＦＡＮ制御方法に関する。
【背景技術】
【０００２】
ＣＰＵ等の高性能化に伴い、ＣＰＵ等の発熱量も増大しており、それを冷却するＦＡＮ
も回転数が増加している。ＦＡＮの回転数が増加するに連れ、ＦＡＮから発生する振動も
増加している。また、近年ハードディスクなどの記録密度も増加が著しく、トラック間の
距離が狭いため、振動によるトラックずれ起因のデータの書き込み不正や読み出し不正が
発生しやすくなっている。
【０００３】
下記特許文献では、サスペンションの制御を用いた振動制御方式の技術が公開されてい
る。
【０００４】
【特許文献１】特開平８−２６８０２４号公報
【発明の開示】
【発明が解決しようとする課題】
【０００５】
ＣＰＵ等の高性能化に伴い、ＣＰＵ等の発熱量も増大しており、それを冷却するＦＡＮ
も回転数が増加している。ＦＡＮの回転数が増加するに連れ、ＦＡＮから発生する振動も
増加している。また、近年ハードディスク等記録媒体の記録密度増加も著しく、トラック
間等の距離が狭いため、振動起因によるトラックずれ等のデータ書き込み不正や読み出し
不正が発生しやすくなっている。
【０００６】
本発明の課題は、ＦＡＮによって発生する振動を低減し、ハードディスク等の振動起因
による書き込み不正や読み出し不正発生を無くすことである。
【課題を解決するための手段】
【０００７】
本発明の課題は、装置の振動を検出する手段と、ＦＡＮの回転角を制御する手段を設け
、振動が少なくなるようにＦＡＮの回転角を制御することで解決できる。
【発明の効果】
【０００８】
ＦＡＮの振動起因による、ハードディスク等の書き込み不正や読み出し不正発生を無く
すことができる。
【発明を実施するための最良の形態】
【０００９】
以下、図を用いて、本発明を実施するための一形態によるＦＡＮ制御手段について説明
する。
【００１０】
図１は本発明の一実施の形態であるシステム構成の一例を示すブロック図である。
【００１１】
図２は本発明の一実施の形態であるＦＡＮ制御手段の一例を示すブロック図である。
図３は本発明の一実施の形態であるシステムの最小構成の一例を示すブロック図である。
【００１２】
図４は本発明の一実施の形態であるＦＡＮ制御手段の一例を示す説明図である。
【００１３】
図５は本発明の一実施の形態であるシステムの一例を示すフロー図である。
【００１４】
図１は、ＦＡＮ制御手段、ＦＡＮ１、ＦＡＮ２、・・・、ＦＡＮｎ、およびＧセンサか
らなる。ＦＡＮ制御手段よりＦＡＮ１、ＦＡＮ２、・・・、ＦＡＮｎにパルスが送られ、
各ＦＡＮが回転する。各ＦＡＮの回転によって発生した振動の加速度は、Ｇセンサにて計
測され、ＦＡＮ制御手段に送られる。
【００１５】
図２は、ＦＡＮ制御手段、マイコン、パルス発生装置１、パルス発生装置２、・・・、
およびパルス発生装置ｎからなる。マイコンからの各パルス発生装置に命令が送られ、各
パルス発生装置より各ＦＡＮにパルスが送られる。また、Ｇセンサより送られた加速度は
、マイコンに送られ、記録される。
【００１６】
図３は、ＦＡＮ制御手段、マイコン、パルス発生装置１、パルス発生装置２、ＦＡＮ１
、ＦＡＮ２、およびＧセンサからなる。本構成が、本発明の最小構成となる。
【００１７】
図４にて、ＦＡＮ制御手段を説明する。
【００１８】
（１）はＦＡＮ制御の流れを示す。マイコンがパルス発生装置に命令を行い、パルスを
出力させる。パルス発生装置が出力したパルスにより、ＦＡＮが回転する。
【００１９】
（２）、（３）にてパルス駆動ＦＡＮについて説明する。パルス駆動ＦＡＮは、パルス
の回数によって回転する角度が決まっている。パルスｍ回（ｍは１以上の整数）で1回転
するＦＡＮの場合、パルス1回では、１／ｍ回転となる。
【００２０】
（４）にて、パルス回数を変動させることによって、ＦＡＮの振動の位相を制御する方
法を説明する。ＦＡＮの振動の原因の一つに、軸の偏心や、部品の重量の偏りなどによる
、重心の偏りがある。重心が回転の中心からずれている場合、重心が回転によって周期的
な運動をすることによって、振動が発生する。この場合、振動の周期はＦＡＮの周期に依
存する。ＦＡＮの回転角を制御すれば、ＦＡＮの振動の位相を制御できる。あるＦＡＮに
入力されるパルスをパルスａ、ＦＡＮから発生する振動を、振動ａとする。仮に、パルス
aからパルスを一つ間引いて、これをパルスｂとする。パルスを間引いた時点ｔ1から、次
のパルスが発生する時点ｔ2まで、ＦＡＮの回転は止まる。それにより、パルスｂによっ
て発生する振動ｂも、振動が止まる。したがって、パルスを間引くことによって、振動ｂ
は、振動ａに比べてｔ2−ｔ1分、位相が遅れることになる。パルスを間引く個数を制御す
ることにより、振動の位相を制御することが出来る。
【００２１】
図５にて位相を制御することによって振動を低減する例を示す。位相をずらすことによ
り、合成された振動の振幅を抑えることが出来る。
【図面の簡単な説明】
【００２２】
【図１】本発明の一実施の形態であるシステム構成の一例を示すブロック図。
【図２】本発明の一実施の形態であるＦＡＮ制御手段の一例を示すブロック図。
【図３】本発明の一実施の形態であるシステムの最小構成の一例を示すブロック図。
【図４】本発明の一実施の形態であるＦＡＮ制御手段の一例を示す説明図。
【図５】本発明の一実施の形態であるシステムの一例を示すフロー図。
【符号の説明】
【００２３】
１０…ＦＡＮ制御手段、１１…ＦＡＮ１、１２…ＦＡＮ２、１３…ＦＡＮ３、１４…Ｇ
センサ、２０…ＦＡＮ制御手段、２０ａ…マイコン、２０ｂ…パルス発生装置１、２０ｃ
…パルス発生装置２、２０ｄ…パルス発生装置ｎ、３０…ＦＡＮ制御装置、３０ａ…マイ
コン、３０ｂ…パルス発生装置１、３０ｃ…パルス発生装置２、３１…ＦＡＮ１、３２…
ＦＡＮ２、３３…Ｇセンサ。
【図１】
2009003665.tif 000003
【図２】
2009003665.tif 000004
【図３】
2009003665.tif 000005
【図４】
2009003665.tif 000006
【図５】
2009003665.tif 000007